(57)【要約】      （修正有）【課題】簡易な構造で掃除口の閉鎖を容易かつ確実に行うことができる水洗式便器の掃除口蓋を提供する。【解決手段】水洗式便器の掃除口蓋１０は、便鉢の下流側に連通した便器排水路を形成する壁面４Ｒに開口した掃除口２を開閉する。掃除口蓋１０は、掃除口２の外側から掃除口２を閉鎖する閉鎖位置に取り付けられるための円筒部２３を有した蓋本体２０と、蓋本体２０と掃除口２の周縁部の外側面との間に挟まれて便器排水路からの漏水を防止する平パッキン３０と、掃除口２の外側から便器排水路内に挿入され、掃除口２の周縁部の内側面に係止する固定部材４０と、蓋本体２０と固定部材４０とを連結して引き寄せる螺子部材５０とを備えている。【選択図】図３
2016148212.tif 000002
【特許請求の範囲】
【請求項１】
便鉢の下流側に連通した便器排水路を形成する壁面に開口した掃除口を開閉する水洗式便器の掃除口蓋であって、
前記掃除口の外側から前記掃除口を閉鎖する閉鎖位置に取り付けられるための位置決め部を有した蓋本体と、
この蓋本体と前記掃除口の周縁部の外側面との間に挟まれて前記便器排水路からの漏水を防止する止水部材と、
前記掃除口の外側から前記便器排水路内に挿入され、前記掃除口の周縁部の内側面に係止する固定部材と、
前記蓋本体と前記固定部材とを連結して引き寄せる連結部材と、
を備えていることを特徴とする水洗式便器の掃除口蓋。
【請求項２】
前記連結部材は前記蓋本体及び前記固定部材を分離させない分離防止部を有していることを特徴とする請求項１記載の水洗式便器の掃除口蓋。
【請求項３】
前記連結部材は、前記蓋本体に貫設された貫通孔に係止する頭部と、前記貫通孔を貫通し、前記固定部材に設けられたねじ穴にねじ込まれる軸部とを有しており、
前記蓋本体と前記固定部材との間に設けられ、前記固定部材に設けられた前記ねじ穴に前記連結部材の軸部を締めたり緩めたりする際に前記固定部材が回転を防止する回転防止部材を備えていることを特徴とする請求項１又は２記載の水洗式便器の掃除口蓋。
【請求項４】
前記位置決め部は、前記蓋本体から突出して形成されており、前記掃除口内に挿入され、前記掃除口の内周面に当接することによって、前記蓋本体の移動を規制する凸部であることを特徴とする請求項１乃至３のいずれか１項記載の水洗式便器の掃除口蓋。
【請求項５】
請求項１乃至４のいずれか１項記載の水洗式便器の掃除口蓋を利用して掃除口を閉鎖するために前記掃除口蓋を前記掃除口に取り付ける掃除口蓋の取付方法であって、
前記蓋本体と固定部材とを前記連結部材で連結した状態で、前記固定部材を前記掃除口の外側から前記便器排水路内に挿入し、前記連結部材で前記蓋本体と前記固定部材とを引き寄せ、前記蓋本体が前記位置決め部によって閉鎖位置に配置されつつ、前記固定部材は前記掃除口の内側面に係止して前記掃除口を閉鎖することを特徴とする水洗式便器の掃除口蓋の取付方法。
【発明の詳細な説明】
【技術分野】
【０００１】
本発明は水洗式便器の掃除口蓋及びその取付方法に関するものである。
【背景技術】
【０００２】
特許文献１は従来の水洗式便器の掃除口蓋を開示している。水洗式便器の掃除口は便鉢の下流側に連通した便器排水路を形成する壁面に開口している。掃除口蓋は、掃除口に着脱され、掃除口を開閉する。この掃除口蓋はパッキン部材と挟持固定部材とを備えている。パッキン部材は弾性部材で形成されている。このパッキン部材は、差込部、シール部、及び連繋部を有している。差込部及びシール部は掃除口の内径寸法よりも大きく形成されている。連繋部は、筒状であり、掃除口の内径寸法よりも小さく形成されている。この連繋部は差込部とシール部とを繋いでいる。挟持固定部材は、キャップ、止め金具、及び螺子を有している。止め金具はパッキン部材の差込部にはめ込まれる。この掃除口蓋は、止め金具がはめ込まれた差込部を掃除口の外側から便器排水路内に挿入し、差込部を掃除口の周縁部の内側面に係止する。キャップはパッキン部材のシール部の外側からかぶせられる。螺子は、キャップの中央部を貫通し、止め金具にねじ込まれる。この掃除口蓋は、止め金具にキャップの中央部を貫通した螺子を締め込むことによって、パッキン部材のシール部が掃除口の周縁部の外側面に引き寄せられて当接し、掃除口を閉鎖する。このようにして、この掃除口蓋はパッキン部材のシール部が掃除口を水密状に閉鎖することができる。また、この掃除口蓋は、挟持固定部材を構成する止め金具等がパッキン部材内に配設されて汚水等に接触しないため、腐食せず耐久性が向上する。
【先行技術文献】
【特許文献】
【０００３】
【特許文献１】特開２００３−３５５２号公報
【発明の概要】
【発明が解決しようとする課題】
【０００４】
しかし、特許文献１の水洗式便器の掃除口蓋はパッキン部材の差込部に挟持固定部材の止め金具をはめ込む手間を要する。また、この掃除口蓋は、パッキン部材の形状が複雑であり、構造が複雑になっている。
【０００５】
本発明は、上記従来の実情に鑑みてなされたものであって、簡易な構造で掃除口の閉鎖を容易かつ確実に行うことができる水洗式便器の掃除口蓋を提供することを解決すべき課題としている。
【課題を解決するための手段】
【０００６】
本発明の水洗式便器の掃除口蓋は、便鉢の下流側に連通した便器排水路を形成する壁面に開口した掃除口を開閉する水洗式便器の掃除口蓋であって、
前記掃除口の外側から前記掃除口を閉鎖する閉鎖位置に取り付けられるための位置決め部を有した蓋本体と、
この蓋本体と前記掃除口の周縁部の外側面との間に挟まれて前記便器排水路からの漏水を防止する止水部材と、
前記掃除口の外側から前記便器排水路内に挿入され、前記掃除口の周縁部の内側面に係止する固定部材と、
前記蓋本体と前記固定部材とを連結して引き寄せる連結部材と、
を備えていることを特徴とする。
【０００７】
また、本発明の水洗式便器の掃除口蓋の取付方法は、前記掃除口蓋を利用して掃除口を閉鎖するために前記掃除口蓋を前記掃除口に取り付ける掃除口蓋の取付方法であって、
前記蓋本体と固定部材とを前記連結部材で連結した状態で、前記固定部材を前記掃除口の外側から前記便器排水路内に挿入し、前記連結部材で前記蓋本体と前記固定部材とを引き寄せ、前記蓋本体が前記位置決め部によって閉鎖位置に配置されつつ、前記固定部材は前記掃除口の内側面に係止して前記掃除口を閉鎖することを特徴とする。
【０００８】
この水洗式便器の掃除口蓋は、蓋本体が位置決め部によって閉鎖位置に配置されるため、止水部材が単純な形状であっても蓋本体と掃除口の周縁部の外側面との間で押し潰された状態に確実に挟み込むことができる。このため、この掃除口蓋は止水を確実に行うことができる。
【０００９】
したがって、本発明の水洗式便器の掃除口蓋及びその取付方法は簡易な構造で掃除口の閉鎖を容易かつ確実に行うことができる
【図面の簡単な説明】
【００１０】
【図１】実施例１の掃除口蓋が掃除口を閉鎖した水洗式便器を示す斜視図である。
【図２】実施例１の掃除口蓋が掃除口を閉鎖した水洗式便器を示す断面図である。
【図３】図２の要部拡大図である。
【図４】実施例１の掃除口蓋の斜視図である。
【発明を実施するための形態】
【００１１】
本発明における好ましい実施の形態を説明する。
【００１２】
本発明の掃除口蓋の連結部材は前記蓋本体及び前記固定部材を分離させない分離防止部を有し得る。この場合、この掃除口蓋は、持ち運ぶ際、掃除口に取り付けて掃除口を閉鎖する際、及び掃除口を閉鎖した状態から開放して掃除口から取り外す際等において、連結部材の分離防止部によって、蓋本体及び固定部材が連結部材から分離しない。このため、この掃除口蓋は、蓋本体、固定部材、連結部材等が分離せず、取り扱いが容易である。
【００１３】
本発明の掃除口蓋の連結部材は、前記蓋本体に貫設された貫通孔に係止する頭部と、前記貫通孔を貫通し、前記固定部材に設けられたねじ穴にねじ込まれる軸部とを有しており、前記蓋本体と前記固定部材との間に設けられ、前記固定部材に設けられた前記ねじ穴に前記連結部材の軸部を締めたり緩めたりする際に前記固定部材の回転を防止する回転防止部材を備え得る。この場合、掃除口蓋は、掃除口の外側から便器排水路内に挿入された固定部材のねじ穴に連結部材の軸部を締めたり緩めたりする際、回転防止部材によって固定部材の回転が防止される。このため、この掃除口蓋は、連結部材の軸部を固定部材のねじ穴に締めたり緩めたりして、掃除口を容易に開閉することができる。
【００１４】
本発明の掃除口蓋において、蓋本体の位置決め部は、蓋本体から突出して形成されており、前記掃除口内に挿入され、前記掃除口の内周面に当接することによって、前記蓋本体の移動を規制する凸部であり得る。この場合、掃除口を掃除口蓋によって閉鎖する際、掃除口の内周面の下部に掃除口蓋の位置決め部である凸部を当接させて係止した状態に仮置きすることができる。掃除口蓋を仮置きした状態から連結部材によって蓋本体と固定部材とを引き寄せて掃除口を閉鎖したり、逆に開放したりする作業を片手で行うことができる。
【００１５】
次に、本発明の水洗式便器の掃除口蓋を具体化した実施例１について、図面を参照しつつ説明する。
【００１６】
＜実施例１＞
実施例１の水洗式便器１の掃除口蓋１０は、図１〜図３に示すように、水洗式便器１の掃除口２に着脱して掃除口２を開閉する。水洗式便器１は、便鉢３、便鉢３の下流側に連通した便器排水路を有している。便器排水路は、便鉢３の下部に上流端部が連続して形成されており、便鉢３の後方で斜め上方に伸びる上昇流路と、上昇流路の上端に連続して形成された下降流路４とを有している。下降流路４は、図２に示すように、便鉢３より後方に形成された左右壁面４Ｌ，４Ｒと、洗浄タンクを載置する上壁面５と、水洗式便器１の上下中間位置で上下方向に貫通した排出口６Ａを有する中間壁面６とに囲まれて形成されている。掃除口２は下降流路４を形成する左右壁面４Ｌ，４Ｒの一方（水洗式便器１の便鉢３側から見て右側）の壁面４Ｒを円形状にくり抜いて形成されている。この掃除口２は、下降流路４内から見て、斜め上方、かつわずかに水洗式便器１の前方（水洗式便器１の便鉢３方向）を向いて開口している。このため、この水洗式便器１は、トイレ室内の床面に取り付けられた状態で、掃除口２を開放すると、便器排水路の下降流路４内を水洗式便器１の前方から掃除口２を介して視認しやすく、排出口６Ａ等に詰まった汚物等の取り出しを容易に行うことができる。
【００１７】
掃除口蓋１０は、図２〜図４に示すように、蓋本体２０、止水部材である平パッキン３０、固定部材４０、連結部材である螺子部材５０、回転防止部材であるガイドピン６０、及びシール機能付きワッシャー７０を備えている。蓋本体２０は、金属板を折曲して形成されており、中央部２１、円筒部２３、鍔部２５、及び折返し部２７を有している。中央部２１は円盤状である。また、この中央部２１は中央に後述する螺子部材５０の軸部５３が貫通する貫通孔２１Ａが貫通している。円筒部２３は円筒状である。また、この円筒部２３は一端が中央部２１の外周縁に連続している。円筒部２３の外径寸法は掃除口２の内径寸法よりもわずかに小さい。鍔部２５は円環状である。また、この鍔部２５は円筒部２３の他端から外方向に拡がっている。折返し部２７は円筒状である。また、この折返し部２７は、鍔部２５の外周縁に連続して中央部２１方向に折り返され、円筒部２３の外側に伸びている。折返し部２７の長さは円筒部２３の長さの半分よりも短く形成されている。このように蓋本体２０は、円筒部２３が鍔部２５及び折返し部２７に対して一方向に突出して形成された凸部であり、位置決め部に相当する。
【００１８】
平パッキン３０はゴム製である。また、平パッキン３０は、円環状であり、内径寸法が蓋本体２０の円筒部２３の外径寸法とほぼ等しい、もしくは若干小さく、外径寸法が蓋本体２０の折返し部２７の内径寸法とほぼ等しく、厚みが蓋本体２０の折返し部２７の長さよりも厚く形成されている。この平パッキン３０は蓋本体２０の円筒部２３を内挿して蓋本体２０の鍔部２５に当接した状態に嵌められている。平パッキン３０は、その弾性力、及び平パッキン３０の内周面と蓋本体２０の円筒部２３の外周面との摩擦力によって、蓋本体２０から外れ難い。
【００１９】
固定部材４０は金属製である。また、固定部材４０は外形が長方形状の平板である。固定部材４０は中央部に後述する螺子部材５０の軸部５３がねじ込まれるねじ穴４１が設けられている。また、固定部材４０は、ねじ穴４１から長辺方向に離れた位置であって、短辺方向の中央部に後述するガイドピン６０が挿通する円形状の貫通孔４３が貫設されている。固定部材４０は、後述するガイドピン６０を貫通孔４３に挿通した状態で、ねじ穴４１に螺子部材５０の軸部５３がねじ込まれる。
【００２０】
螺子部材５０は金属製である。また、この螺子部材５０は、頭部５１、軸部５３、及び抜け止め部５５を有している。頭部５１は、略半球状であり、平面側が軸部５３の一端に連続している。また、この頭部５１は蓋本体２０の中央部２１の貫通孔２１Ａの内径寸法よりも大きい外径寸法を有している。また、この頭部５１は球面側の先端中央部に六角穴５１Ａが設けられている。軸部５３は外周面にねじが切られている。また、この軸部５３は固定部材４０のねじ穴４１にねじ込むことができる外径を有している。抜け止め部５５は、頭部５１が蓋本体２０の中央部２１の表面（掃除口蓋１０が掃除口２を閉鎖した際に外側に露出する面、以下同じ。）側に位置して蓋本体２０の中央部２１の貫通孔２１Ａを貫通した軸部５３が固定部材４０のねじ穴４１にねじ込まれて貫通した状態で、軸部５３の他端に形成され、固定部材４０のねじ穴４１の内径寸法よりも大きい外径寸法を有している。このように、螺子部材５０の頭部５１が蓋本体２０を螺子部材５０から分離させない分離防止部であり、螺子部材５０の抜け止め部５５が固定部材４０を螺子部材５０から分離させない分離防止部である。
【００２１】
ガイドピン６０は金属製である。また、このガイドピン６０は軸部６１と接続部６３とを有している。軸部６１は円柱状である。また、この軸部６１は固定部材４０の貫通孔４３の内径寸法よりも小さい外径寸法を有している。接続部６３は円盤形状である。また、この接続部６３は軸部６１の一端縁の外周面から外方向に拡がっている。この接続部６３は蓋本体２０の中央部２１の裏面（掃除口蓋１０が掃除口２を閉鎖した際に便器排水路側を向く面、以下同じ。）であって、中央部２１の貫通孔２１Ａから離れた位置（固定部材４０のねじ穴４１と貫通孔４３との間隔と同じ間隔を有する位置）に接合されている。ガイドピン６０の軸部６１は蓋本体２０の中央部２１の裏面に対して直交する方向に伸びている。このため、ガイドピン６０の軸部６１と螺子部材５０の軸部６３とは並行に伸びている。
【００２２】
シール機能付きワッシャー７０は、螺子部材５０の軸部５３が挿通し、螺子部材５０の頭部５１と蓋本体２０の中央部２１の表面との間に挟み込まれている。シール機能付きワッシャー７０は螺子部材５０を締めて掃除口蓋１０が掃除口２を閉鎖した際に、蓋本体２０の中央部２１の貫通孔２１Ａと螺子部材５０の軸部５３との間からの漏水を防止する。
【００２３】
この掃除口蓋１０は次に説明するように掃除口２に着脱して掃除口２を開閉することができる。
まず、掃除口蓋１０は、図４に示されるように、蓋本体２０に平パッキン３０が嵌められ、固定部材４０の貫通孔４３にガイドピン６０の軸部６１を挿通させて、固定部材４０のねじ穴４１に螺子部材５０の軸部５３をねじ込ませた状態に組み付ける。この状態で、シール機能付きワッシャー７０は、螺子部材５０の軸部５３が挿通し、螺子部材５０の頭部５１と蓋本体２０の中央部２１の表面との間に位置している。掃除口蓋１０は、掃除口２に取り付けられる前において、螺子部材５０が緩められた状態（固定部材４０がねじ部材の軸部の抜け止め部側に位置した状態）になっている。この際、螺子部材５０の頭部５１及び抜け止め部５５によって、蓋本体２０及び固定部材４０が螺子部材５０から分離しないため、蓋本体２０、固定部材４０、螺子部材５０等が分離せず、取り扱いが容易である。
【００２４】
次に、掃除口蓋１０の固定部材４０を水洗式便器１の掃除口２の外側から便器排水路内に挿入し、掃除口２の内周面２Ａの下部に蓋本体２０の円筒部２３を係止した状態に仮置きする。そして、螺子部材５０の頭部に設けられた六角穴５１Ａに六角レンチの先端部を挿入して右回転させて、固定部材４０のねじ穴に螺子部材５０の軸部を締め付ける。この際、固定部材４０は、ガイドピン６０に案内されてガイドピン６０の軸方向に平行移動し、掃除口２の周縁部の内側面に両端部が係止する。つまり、掃除口蓋１０は、固定部材４０のねじ穴４１に螺子部材５０の軸部４３を締め付ける際、ガイドピン６０によって固定部材４０の回転が防止される。
【００２５】
また、この掃除口蓋１０は、螺子部材５０の軸部５３を固定部材４０のねじ穴４１に締め付けると、固定部材４０の両端部が掃除口２の周縁部の内側面に係止して、掃除口２を閉鎖する。掃除口２を閉鎖した掃除口蓋１０は、蓋本体２０の円筒部２３が掃除口２内に挿入され、中央部２１が掃除口２内（掃除口２の周縁部の外側面と内側面との間）に位置する。つまり、蓋本体２０の円筒部２３が蓋本体２０を閉鎖位置に取り付けられるための位置決め部になっている。また、蓋本体２０の中央部２１が掃除口２内に位置するため、蓋本体２０の中央部２１と固定部材４０との間隔が狭く、掃除口２に掃除口蓋１０を安定して取り付けることができる。
【００２６】
また、この掃除口蓋１０は仮置きした状態から螺子部材５０によって蓋本体２０と固定部材４０とを引き寄せて掃除口２を閉鎖する作業を片手で行うことができる。この際、この掃除口蓋１０は、平パッキン３０が蓋本体２０の鍔部２５と掃除口２の周縁部の外側面との間で押し潰された状態で挟み込まれるため、止水を確実に行うことができる。また、平パッキン３０は、蓋本体２０の鍔部２５と掃除口２の周縁部の外側面との間に挟み込まれるだけであるため、掃除口２を閉鎖する際に止水部材が破損しにくく漏水を防止することができる。
【００２７】
したがって、実施例１の水洗式便器１の掃除口蓋１０は簡易な構造で掃除口２の閉鎖を容易かつ確実に行うことができる。
【００２８】
また、水洗式便器１の掃除口２を閉鎖した掃除口蓋１０を開放する際、螺子部材５０の頭部に設けられた六角穴５１Ａに六角レンチの先端部を挿入して左回転させて、螺子部材５０を緩める。この際、固定部材４０は、掃除口２の周縁部の内側面から離れ、ガイドピン６０に案内されてガイドピン６０の軸方向に平行移動し、螺子部材５０の軸部５３の抜け止め部５５側に位置させる。つまり、掃除口蓋１０は、螺子部材５０を緩める際も、ガイドピン６０によって固定部材４０の回転が防止される。このため、この掃除口蓋１０は、螺子部材５０を緩めて掃除口２を容易に開放することができる。そして、掃除口蓋１０の固定部材４０を水洗式便器１の掃除口２から取り出し、掃除口蓋１０を掃除口２から取り外す。このように、この掃除口蓋１０は掃除口２を開放し取り外す作業を片手で行うことができる。
【００２９】
本発明は上記記述及び図面によって説明した実施例１に限定されるものではなく、例えば次のような実施例も本発明の技術的範囲に含まれる。
（１）実施例１では、螺子部材が抜け止め部を有していたが、抜け止め部を有していなくてもよい。
（２）実施例１では、連結部材が軸部に外周面にねじが切られた螺子部材で構成されていたが、連結部材は蓋本体と固定部材とを連結して引き寄せることができるものであれば、他の形態であってもよい。この場合、ガイドピンを設けなくてもよい。
（３）実施例１では、回転防止部材が軸部を有するガイドピンであったが、他の形態であってもよい。
（４）実施例１では、蓋本体が中央部、円筒部、鍔部、及び折返し部を有していたが、他の形態であってもよい。この場合、位置決め部も他の形態にすることができる。
（５）実施例１では、掃除口が水洗式便器の便鉢側から見て右側の壁面に形成されていたが、左側の壁面に形成されていてもよい。
【符号の説明】
【００３０】
１…水洗式便器
２…掃除口
２Ａ…内周面
３…便鉢
４…（便器排水路の）下降流路
４Ｌ，４Ｒ…（左右）壁面
１０…掃除口蓋
２０…蓋本体
２１Ａ…貫通孔
２３…円筒部（位置決め部）
３０…平パッキン（止水部材）
４０…固定部材
４１…ねじ穴
５０…螺子部材（連結部材）
５１…頭部（分離防止部）
５３…軸部
５５…抜け止め部（分離防止部）
６０…ガイドピン（回転防止部材）
【図１】
2016148212.tif 000003
【図２】
2016148212.tif 000004
【図３】
2016148212.tif 000005
【図４】
2016148212.tif 000006